(57)【要約】【課題】光ケーブル側のファイバ心線に触れることなく、光ケーブル側のファイバ心線とドロップケーブルの接続あるいはコネクタ着脱を容易かつ安価に行うクロージャを提供する。【解決手段】ドロップケーブル４引き落とし時に使用される架空用のクロージャ１において、光ケーブル２を通過あるいは接続・分岐するための光ケーブル用収納部屋３と、その光ケーブル用収納部屋３に隣接して設けられ、ドロップケーブル４を融着あるいはコネクタ接続するために使用されるドロップケーブル用収納部屋５ａ，５ｂとの２部屋を備えたものである。【選択図】図１
2007304272.tif 000002
【特許請求の範囲】
【請求項１】
ドロップケーブル引き落とし時に使用される架空用のクロージャにおいて、光ケーブルを通過あるいは接続・分岐するための光ケーブル用収納部屋と、その光ケーブル用収納部屋に隣接して設けられ、上記ドロップケーブルを融着あるいはコネクタ接続するために使用されるドロップケーブル用収納部屋との２部屋を備えたことを特徴とするクロージャ。
【請求項２】
上記ドロップケーブル用収納部屋は、上記光ケーブル用収納部屋とは独立して開閉自在に設けられるカバーを有する請求項１記載のクロージャ。
【請求項３】
上記光ケーブル用収納部屋に隣接して、上記ドロップケーブル用収納部屋を複数個設けた請求項１または２記載のクロージャ。
【請求項４】
上記光ケーブル用収納部屋と上記ドロップケーブル用収納部屋間の仕切壁を設け、その仕切壁に穴を開け、その穴に上記光ケーブルのファイバ心線と接続されるアダプタあるいはソケットを固定し、他方、上記ドロップケーブルの片端に上記アダプタあるいはソケットと嵌合するコネクタあるいはプラグを取り付けた請求項１〜３いずれかに記載のクロージャ。
【請求項５】
上記ドロップケーブル用収納部屋の両端に、上記ドロップケーブルを挿通し、防水機能を有する端面板をそれぞれ設けた請求項１〜４いずれかに記載のクロージャ。
【発明の詳細な説明】
【技術分野】
【０００１】
本発明は、架空用のクロージャ、特にドロップケーブルを引き落とすために用いられるＦＴＴＨ（Ｆｉｂｅｒ  Ｔｏ  Ｔｈｅ  Ｈｏｍｅ）用に好適なクロージャに関する。
【背景技術】
【０００２】
ＦＴＴＨ用架空クロージャは、例えば電柱間に架設された光ケーブルから加入者宅へドロップケーブルを引き落とす時に使用される架空用のクロージャである。これまでのＦＴＴＨ用架空クロージャは、いずれも１つの光ケーブル用収納部屋からなり、この光ケーブル用収納部屋の中で光ケーブルの接続、分岐、ドロップケーブルとの接続が実施されてきた。
【０００３】
図４に示すように、従来のクロージャ４１は、光ケーブル４２を通過あるいは接続・分岐するための光ケーブル用収納部屋４３を備え、その光ケーブル用収納部屋４３の両端に防水機能を有する端面板４４が設けられる。クロージャ４１は、端面板４４よりも外側に取り付けた金具４５で配電線などの吊り線や電柱に固定される。
【０００４】
このクロージャ４１では、光ケーブル４２は光ケーブル用収納部屋４３の中で接続・分岐され、あるいは光ケーブル４２からファイバ心線が引き出される。この引き出されたファイバ心線は、光ケーブル用収納部屋４３の中でドロップケーブル４６の光ファイバ心線と融着あるいはメカニカル接続される。ファイバ心線と接続されたドロップケーブル４６は、端面板４４を通って加入者宅などの外部に引き落とされる。
【０００５】
なお、この出願の発明に関連する先行技術文献情報としては、次のものがある。
【０００６】
【特許文献１】特開２００５−１６５２０２号公報
【特許文献２】特開２００２−１２２７４６号公報
【特許文献３】特開２００３−６６２４２号公報
【発明の開示】
【発明が解決しようとする課題】
【０００７】
しかしながら、このような従来のクロージャ４１では、光ケーブル４２とドロップケーブル４６を接続する毎にいちいちクロージャ４１の全体を開閉せねばならず、大変な手間が掛かると共に、作業者が接続済みのファイバ心線あるいはその接続部に誤って触れることにより、ロス（接続損失）の増加や最悪の場合にはファイバ心線を断線させてしまう可能性があった。
【０００８】
一方、クロージャ４１の外側からドロップケーブル４６に防水コネクタを取り付け、これを光ケーブル用収納部屋４３に差し込む方式も実用化されているが、防水コネクタは高価であると共に、工場にてドロップケーブル４６に取り付ける必要があるため、現地での長さ合わせが難しいという問題があった。
【０００９】
そこで、本発明の目的は、上記課題を解決し、光ケーブル側のファイバ心線に触れることなく、光ケーブル側のファイバ心線とドロップケーブルの接続あるいはコネクタ着脱を容易かつ安価に行うクロージャを提供することにある。
【課題を解決するための手段】
【００１０】
本発明は上記目的を達成するために創案されたものであり、請求項１の発明は、ドロップケーブル引き落とし時に使用される架空用のクロージャにおいて、光ケーブルを通過あるいは接続・分岐するための光ケーブル用収納部屋と、その光ケーブル用収納部屋に隣接して設けられ、上記ドロップケーブルを融着あるいはコネクタ接続するために使用されるドロップケーブル用収納部屋との２部屋を備えたクロージャである。
【００１１】
請求項２の発明は、上記ドロップケーブル用収納部屋は、上記光ケーブル用収納部屋とは独立して開閉自在に設けられるカバーを有する請求項１記載のクロージャである。
【００１２】
請求項３の発明は、上記光ケーブル用収納部屋に隣接して、上記ドロップケーブル用収納部屋を複数個設けた請求項１または２記載のクロージャである。
【００１３】
請求項４の発明は、上記光ケーブル用収納部屋と上記ドロップケーブル用収納部屋間の仕切壁に設け、その仕切壁に穴を開け、その穴に上記光ケーブルのファイバ心線と接続されるアダプタあるいはソケットを固定し、他方、上記ドロップケーブルの片端に上記アダプタあるいはソケットと嵌合するコネクタあるいはプラグを取り付けた請求項１〜３いずれかに記載のクロージャである。
【００１４】
請求項５の発明は、上記ドロップケーブル用収納部屋の両端に、上記ドロップケーブルを挿通し、防水機能を有する端面板をそれぞれ設けた請求項１〜４いずれかに記載のクロージャである。
【発明の効果】
【００１５】
本発明によれば、光ケーブル側のファイバ心線に触れることなく、光ケーブル側のファイバ心線とドロップケーブルの接続あるいはコネクタ着脱を容易かつ安価に行うことができる。
【発明を実施するための最良の形態】
【００１６】
以下、本発明の好適な実施形態を添付図面にしたがって説明する。
【００１７】
図１は、本発明の好適な実施形態を示すクロージャの外観図である。
【００１８】
図１に示すように、本実施形態に係るクロージャ１は、光ケーブル２を通過あるいは接続・分岐するための光ケーブル用収納部屋３と、その光ケーブル用収納部屋３の一側に隣接して設けられ、ドロップケーブル４をコネクタ接続するために使用されるドロップケーブル用収納部屋５ａ，５ｂとの３部屋を備える。
【００１９】
光ケーブル用収納部屋３は、光ケーブル３を両側から挟むように左右２分割の箱状のカバー３Ｌ，３Ｒからなる。これらカバー３Ｌ，３Ｒは、各ドロップケーブル用収納部屋５ａ，５ｂとは独立して光ケーブル用収納部屋３を開閉自在に設けるためのものである。本実施形態では、カバー３Ｌ，３Ｒの上部に蝶番を設け、光ケーブル用収納部屋３の下部で開閉するようにした。光ケーブル用収納部屋３の材質としては、従来から実績のあるポリプロピレンなどの絶縁体であれば十分である。
【００２０】
光ケーブル用収納部屋３の長さ方向の両端には、光ケーブル２を挿通し、防水機能を有する端面板６がそれぞれ設けられる。端面板６は、例えばゴムなどの弾性体の中心に挿通穴を形成して構成される。この端面板６は、カバー３Ｌ，３Ｒのどちらか一方に固定される。端面板６は、カバー３Ｌ，３Ｒが閉じているとき、光ケーブル用収納部屋３内を水密に保つ。
【００２１】
ドロップケーブル用収納部屋５ａ，５ｂは同じ構成であり、それぞれ左右２分割の箱状のカバー５Ｌ，５Ｒからなる。これらカバー５Ｌ，５Ｒは、光ケーブル用収納部屋３とは独立して各ドロップケーブル用収納部屋５ａ，５ｂを開閉自在に設けるためのものである。本実施形態では、カバー５Ｌ，５Ｒの上部に蝶番を設け、各ドロップケーブル用収納部屋５ａ，５ｂの下部で開閉するようにした。ドロップケーブル用収納部屋５ａ，５ｂの材質としては、光ケーブル用収納部屋３と同様に、ポリプロピレンなどの絶縁体を用いればよい。
【００２２】
各ドロップケーブル用収納部屋５ａ，５ｂの両端には、ドロップケーブル４を挿通し、防水機能を有する端面板７がそれぞれ設けられる。端面板７は、例えばゴムなどの弾性体の中心に挿通穴を形成して構成される。この端面板７は、カバー５Ｌ，５Ｒのどちらか一方に固定される。端面板７は、カバー５Ｌ，５Ｒが閉じているとき、各ドロップケーブル用収納部屋５ａ，５ｂ内をそれぞれ水密に保つ。
【００２３】
このクロージャ１は、端面板６よりも外側に取り付けた金具８で配電線などの吊り線や電柱に固定される。
【００２４】
クロージャ１をより詳細に説明すると、図２および図３に示すように、光ケーブル用収納部屋３の両端に光ケーブルコネクタ２１がそれぞれ設けられ、その光ケーブルコネクタ２１で光ケーブル用収納部屋３の内外において光ケーブル２のファイバ心線２ｃと光ケーブル２とが接続される。
【００２５】
光ケーブル用収納部屋３には引き出し自在なトレイ２２が複数個設けられ、各トレイ２２上に光ケーブル２から分岐された各ファイバ心線２ｃの余長がそれぞれ収納される。各ファイバ心線２ｃは、各トレイ２２上の接続部２３で中継用心線２４（図３では８本が見えている）とそれぞれ融着あるいはメカニカル接続される。各中継用心線２４は、各トレイ２２から各ドロップケーブル用収納部屋５ａ，５ｂに向けて引き出され、その先端にアダプタ（あるいはソケット）２５が取り付けられる。
【００２６】
光ケーブル用収納部屋３と各ドロップケーブル用収納部屋５ａ，５ｂ間には仕切壁２６が設けられ、その仕切壁２６には中継用心線２４の本数に対応して穴２７が開けられる。この穴２７にはアダプタ２５が固定される。
【００２７】
各ドロップケーブル用収納部屋５ａ，５ｂには引き出し自在なトレイ２９が複数個設けられ、各トレイ２９上に各ドロップケーブル４の余長がそれぞれ収納される。各ドロップケーブル４の先端にはアダプタ２５と嵌合するコネクタ（あるいはプラグ）３０が取り付けられる。
【００２８】
本実施形態の作用を説明する。
【００２９】
光ケーブル２のファイバ心線２ｃに、加入者宅などの外部と接続されるドロップケーブル４を接続するには、まず、ドロップケーブル用収納部屋５ａのカバー５Ｒを開け、トレイ２９を引き出す。このトレイ２９上にドロップケーブル４の余長を収納し、仕切壁２６に固定されたアダプタ２５に、ドロップケーブル４の先端に取り付けたコネクタ３０を差し込んでコネクタ接続する。これにより、ドロップケーブル４とファイバ心線２ｃが中継用心線２４を介して接続される。その後、ドロップケーブル用収納部屋５ａのカバー５Ｒを閉め、ドロップケーブル用収納部屋５ａ内を水密に保つ。
【００３０】
ファイバ心線２ｃからドロップケーブル４を分離するには、仕切壁２６に固定されたアダプタ２５からドロップケーブル４の先端に取り付けたコネクタ３０を引き抜く。
【００３１】
このように、クロージャ１では、光ケーブル用収納部屋３とは別に、ドロップケーブル４を接続するためのドロップケーブル用収納部屋５ａ，５ｂを設けている。このため、接続作業に必要なドロップケーブル用収納部屋５ａ，５ｂを開け、アダプタ２５にドロップケーブル４の先端に取り付けたコネクタ３０を差し込むだけで、ドロップケーブル４とファイバ心線２ｃを容易に接続でき、接続作業の手間もほとんどかからず、接続作業性が向上する。
【００３２】
したがって、クロージャ１によれば、作業者がドロップ目的以外のファイバ心線２ｃに触れることはなく、ロス（接続損失）の増加やファイバ心線２ｃを断線させてしまう可能性もなく、ファイバ心線２ｃとドロップケーブル４の接続あるいはコネクタ着脱を容易に行うことができる。
【００３３】
光ケーブル用収納部屋３にドロップケーブル用収納部屋を複数個設ければ、１つのクロージャで接続するドロップケーブル４の本数を増やすことができる。しかも、１つのドロップケーブル用収納部屋において全てのドロップケーブル４を接続するまで他のドロップケーブル用収納部屋を開閉する必要がなく、作業者がドロップ目的以外のファイバ心線２ｃに触れることを極力防止できる。
【００３４】
また、クロージャ１は、光ケーブル用収納部屋３の両端に防水機能を有する端面板６を設け、各ドロップケーブル用収納部屋５ａ，５ｂの両端に防水機能を有する端面板７を設けている。このため、光ケーブル用収納部屋３とドロップケーブル用収納部屋５ａ，５ｂ内は水密に保たれ、ドロップケーブル４の先端に取り付けるコネクタ３０を防水タイプとする必要がなく、従来のように高価な防水コネクタは不要なので安価である。
【００３５】
さらに、クロージャ１は、光ケーブル用収納部屋３とドロップケーブル用収納部屋５ａ，５ｂ間に仕切壁２６を設け、その仕切壁２６にファイバ心線２ｃと接続されるアダプタ２５を固定し、他方、ドロップケーブル４の先端にアダプタ２５と嵌合するコネクタ３０を取り付けている。このため、アダプタ２５にコネクタ３０を着脱すれば、ファイバ心線２ｃとドロップケーブル４とを簡単に接続・分離できる。
【００３６】
ファイバ心線２ｃ（厳密には中継用心線２４）とドロップケーブル４の接続点は、各ドロップケーブル用収納部屋５ａ，５ｂの自由な位置に設けることが可能であるが、上述したように仕切壁２６に設ければ、接続作業性に優れるので好適である。
【００３７】
上記実施形態では、クロージャ１は光ケーブル用収納部屋３とドロップケーブル用収納部屋５ａ，５ｂの３部屋を備えた例で説明したが、ドロップケーブル用収納部屋は少なくとも１つあればよい。
【００３８】
また、光ケーブル用収納部屋３の一側にドロップケーブル用収納部屋５ａ，５ｂを設けた例で説明したが、ドロップケーブル４の引き落としの形態に応じて、光ケーブル用収納部屋３の上部、下部などにドロップケーブル用収納部屋を設けてもよい。
【００３９】
ドロップケーブル４とファイバ心線２ｃとの接続は、上述したコネクタ接続に限らず、各トレイ２９上において融着接続、あるいはメカニカルスプライサなどによるメカニカル接続でもよい。
【図面の簡単な説明】
【００４０】
【図１】本発明の好適な実施形態を示すクロージャの外観図である。
【図２】図１に示した光ケーブル用収納部屋とドロップケーブル用収納部屋の境界部分の概略図である。
【図３】図１に示したクロージャの内部構成図である。
【図４】従来のクロージャの外観図である。
【符号の説明】
【００４１】
１  クロージャ
２  光ケーブル
３  光ケーブル用収納部屋
４  ドロップケーブル
５ａ，５ｂ  ドロップケーブル用収納部屋
【図１】
2007304272.tif 000003
【図２】
2007304272.tif 000004
【図３】
2007304272.tif 000005
【図４】
2007304272.tif 000006